(57)【要約】      （修正有）【課題】籾殻炭化装置、籾殻灰化装置、温水暖房装置として用いることのできる籾殻燃焼装置を提供する。【解決手段】籾殻燃焼装置１の籾殻燃焼室６は、装置架台８に着脱可能に取り付けた燃焼室カバー１１を備えている。燃焼室カバー１１の代わりに、温水暖房用の燃焼室カバーを取り付けると、当該燃焼室カバー１１の二重壁面内に形成した温水通路を循環して加熱された温水をビニールハウスなどの暖房対象箇所に供給する温水暖房装置になる。燃焼筒１２を二重構造の円筒から形成したものに交換することにより、籾殻燃焼装置１を、籾殻炭の生成、籾殻灰の生成に適した装置にすることができる。【選択図】図１
0003152728.tif 000002
【実用新案登録請求の範囲】
【請求項１】
籾殻が投入されるホッパ（２）と、
前記ホッパ（２）から供給される籾殻を装置前方に向けて送り出すスクリューコンベア（４）と、
前記スクリューコンベア（４）によって送り出された籾殻を燃焼する籾殻燃焼室（６）と、
籾殻燃焼室（６）における燃焼後に得られる籾殻炭あるいは籾殻灰を排出する排出口（２０）とを有し、
前記籾殻燃焼室（６）は、
前傾姿勢となるように装置前後方向に向く状態に配置した円筒状の燃焼筒（１２）と、
前記燃焼筒（１２）を、その中心軸線回りに回転させる回転駆動機構（３０）と、
前記燃焼筒（１２）の両側部分および上側部分を覆っている燃焼室カバー（１１）と、
この燃焼室カバー（１１）に取り付けられている排気ダクト（１１ｄ）とを備えており、
前記燃焼室カバー（１１）は装置架台（８）に対して着脱可能に取り付けられていることを特徴とする籾殻燃焼装置（１）。
【請求項２】
前記燃焼室カバー（１１）の代わりに前記装置架台（８）に対して着脱可能な状態で取り付けることのできる温水暖房用燃焼室カバー（４０）を有しており、
前記温水暖房用燃焼室カバー（４０）は、前記燃焼筒（１２）の両側部分および上側部分を覆うカバー本体部分（４１）と、このカバー本体部分（４１）から上方に延びている排気ダクト部分（４２）とを備えており、
前記カバー本体部分（４１）および前記排気ダクト部分（４２）は、内部に熱交換用の温水通路（４３、４４）が形成されている二重構造の壁面から形成されており、
当該温水暖房用燃焼室カバー（４０）には、前記温水通路（４３、４４）に熱交換後の温水を戻す温水戻し口（４３ａ、４３ｂ、４４ａ、４４ｂ）と、前記温水通路（４３、４４）を流れて加熱された後の温水を外部に送り出す温水送り出し口（４３ａ、４３ｂ、４４ａ、４４ｂ）とが配置されていることを特徴とする請求項１に記載の籾殻燃焼装置（１）。
【請求項３】
前記燃焼筒（１２）は、その外周面における前後の部位に前側円環状枠板（１３）および後側円環状枠板（１４）が同軸状態に固定されており、
前記回転駆動機構（３０）は、
前記前側円環状枠板（１３）が前記燃焼筒（１２）の中心軸線回りに転動可能な状態で乗っている左右一対の前側支持ローラ（１５）と、
前記後側円環状枠板（１４）が前記中心軸線回りに転動可能な状態で乗っている左右一対の後側支持ローラ（１６）と、
前記前側支持ローラ（１５）の一方および前記後側支持ローラ（１６）の一方が同心状態に固定されているローラ軸（１７）と、
前記ローラ軸（１７）を回転駆動するための駆動用モータ（１９）とを備えていることを特徴とする請求項１または２に記載の籾殻燃焼装置（１）。
【請求項４】
前記燃焼筒（１２）は、少なくとも、外側燃焼筒と、この内側に同心状に固定した円筒状の内側燃焼筒とを備えており、
前記内側燃焼筒は、ステンレススチールなどの金属金網から形成した多孔質の円筒であり、
当該内側燃焼筒の内周面には、前記スクリューコンベアによって当該内側燃焼筒の内部に送り込まれた籾殻を攪拌するための複数の攪拌用突起が形成されており、
前記外側燃焼筒の外周面に前記前側円環状枠板および前記後側円環状枠板が固定されていることを特徴とする請求項３に記載の籾殻燃焼装置（１）。
【請求項５】
前記燃焼筒（１２）の真下には、装置前後方向に排出用スクリューコンベア（２１）が配置されており、
前記燃焼筒（１２）から落下した籾殻炭あるいは籾殻灰が前記排出用スクリューコンベア（２１）によって前記排出口（２０）に向けて排出されることを特徴とする請求項１ないし４のうちのいずれかの項に記載の籾殻燃焼装置（１）。
【請求項６】
前記排気ダクト（１１ｄ）から排出される排気に含まれている異物を遠心分離し、異物が分離された後の排気を大気中に排出するサイクロンが接続されていることを特徴とする請求項１ないし５のうちのいずれかの項に記載の籾殻燃焼装置（１）。
【考案の詳細な説明】
【技術分野】
【０００１】
本考案は、籾殻を効率良く攪拌しながら燃焼させて籾殻炭あるいは籾殻灰を生成可能な籾殻燃焼装置に関する。
【背景技術】
【０００２】
従来から籾殻を焼いて炭化させることにより得られる籾殻炭は、土質改良材、肥料、家畜の糞尿の消臭材などの各種の用途に用いられている。また、籾殻を焼いて得られる籾殻灰はシリカ成分が９０％以上と多く含まれているので、籾殻炭と同様に土質改良材などとして各種の用途に用いられている。
【０００３】
特許文献１には殻炭を製造するための籾殻炭化装置が開示されている。ここに開示されている籾殻炭化装置は、水平あるいは傾斜配置した籾殻炭化容体を回転させながら、その一方の側から籾殻を投入し、内部で籾殻を燃やすことにより籾殻を炭化させ、他方の側から得られた籾殻炭を排出するように構成されている。しかしながら、特許文献１に開示の籾殻炭化装置においては、籾殻攪拌用の突条部材が取り付けられているものの、籾殻炭化容体内において均一に籾殻を燃やして均一に炭化した籾殻炭を得ることができないという課題がある。
【０００４】
そこで、本願出願人は、特許文献２において、籾殻を効率良く攪拌しながら均一に燃焼させて均一に炭化した籾殻炭を効率良く得ることのできる籾殻炭化装置を提案している。この特許文献２に開示の籾殻炭化装置では、外筒と金網状の内筒の二重構造の燃焼筒を用いて籾殻を攪拌して均一に燃焼することにより籾殻の炭化を効率良く行うようにしている。
【先行技術文献】
【特許文献】
【０００５】
【特許文献１】特開２００３−２０１４８２号公報
【特許文献２】実用新案登録第３１３１５８８号公報
【考案の開示】
【考案が解決しようとする課題】
【０００６】
本考案は、特許文献２に開示の籾殻炭化装置の改良に関するものであり、籾殻を燃焼して籾殻炭および籾殻灰を選択的に生成することが簡単にでき、また、籾殻を燃料として用いてビニールハウスなどの温水暖房を簡単に行うことのできるように構成された籾殻燃焼装置を提案することにある。
【課題を解決するための手段】
【０００７】
上記の課題を解決するために、本考案の籾殻燃焼装置は、
籾殻が投入されるホッパと、
このホッパから供給される籾殻を装置前方に向けて送り出すスクリューコンベアと、
前記スクリューコンベアによって送り出された籾殻を燃焼する籾殻燃焼室と、
籾殻燃焼室における燃焼後に得られる籾殻炭あるいは籾殻灰を排出する排出口とを有し、
前記籾殻燃焼室は、
前傾姿勢となるように装置前後方向に沿って配置した円筒状の燃焼筒と、
この燃焼筒を、当該燃焼筒の中心軸線回りに回転させる回転駆動機構と、
前記燃焼筒の両側部分および上側部分を覆っている燃焼室カバーと、
この燃焼室カバーに取り付けられている排気ダクトとを備えており、
前記燃焼室カバーは装置架台に対して着脱可能に取り付けられていることを特徴としている。
【０００８】
ここで、本考案の籾殻燃焼装置をビニールハウスなどの温水暖房装置として用いる場合には、燃焼室カバーの代わりに、温水暖房用燃焼室カバーを、前記装置架台に対して着脱可能な状態で取り付けることができるようにすればよい。この場合、温水暖房用燃焼室カバーを、燃焼筒の両側部分および上側部分を覆うカバー本体部分と、このカバー本体部分から上方に延びている排気ダクト部分とを備えた構成とし、カバー本体部分および排気ダクト部分を、それぞれ、内部に熱交換用の温水通路が形成されている二重構造の壁面から形成しておき、温水暖房用燃焼室カバーには、温水通路に熱交換後の温水を戻す温水戻し口と、温水通路を流れて加熱された後の温水を外部に送り出す温水送り出し口とを取り付けておけばよい。
【０００９】
このようにすれば、燃焼室カバーを温水暖房用燃焼室カバーに交換するだけで、籾殻燃焼装置を温水暖房装置として利用できるので極めて便利である。
【００１０】
また、燃焼筒の保守点検、あるいは新たなものとの交換作業を簡単に行うことができるようにするためには、燃焼筒の着脱が簡単であることが望ましい。このためには、燃焼筒の外周面の前後の部位に前側円環状枠板および後側円環状枠板を固定し、回転駆動機構を、前側円環状枠板が燃焼筒の中心軸線回りに転動可能な状態で乗っている左右一対の前側支持ローラと、後側円環状枠板が中心軸線回りに転動可能な状態で乗っている左右一対の後側支持ローラと、前側支持ローラの一方および後側支持ローラの一方が同心状態に固定されているローラ軸と、ローラ軸を回転駆動するための駆動用モータとを備えた構成とすることが望ましい。
【００１１】
この構成を採用すれば、燃焼筒は、前後の前側支持ローラおよび後側支持ローラに乗っているだけなので、燃焼室カバーを取り外した後に燃焼筒を持ち上げるだけで当該燃焼筒を取り外すことができる。したがって、燃焼筒の保守点検、あるいは新しいものに交換する作業を簡単に行うことができる。
【００１２】
次に、籾殻燃焼装置を籾殻炭化装置あるいは籾殻灰化装置として用いる場合には、燃焼筒を、少なくとも、外側燃焼筒と、この内側に同心状に固定した円筒状の内側燃焼筒とを備えた構成とし、内側燃焼筒を、ステンレススチールなどの金網から形成した多孔質の円筒とし、当該内側燃焼筒の内周面に、スクリューコンベアによって当該内側燃焼筒の内部に送り込まれた籾殻を攪拌するための複数の攪拌用突起を形成しておけばよい。この場合には、外側燃焼筒の外周面に前側円環状枠板および後側円環状枠板を固定しておけばよい。
【００１３】
燃焼室を構成する円筒を二重あるいは多重にすることにより、燃焼室内における籾殻の燃焼状態（燃焼温度、空気供給状態、攪拌状態）を変えることができる。したがって、燃焼筒として、籾殻炭、籾殻灰を生成するために適した燃焼条件が得られる燃焼筒を用意しておき、これらを交換して用いることにより、本考案の籾殻燃焼装置を、籾殻炭生成装置あるいは籾殻灰生成装置として用いることができるので便利である。
【００１４】
次に、燃焼筒の真下には、装置前後方向に排出用スクリューコンベアを配置しておき、燃焼筒から落下した籾殻炭あるいは籾殻灰を当該排出用スクリューコンベアによって排出口に向けて排出することが望ましい。
【００１５】
また、排気ダクトから排出される排気に含まれている異物を遠心分離し、異物が分離された後の排気を大気中に排出するサイクロンを接続しておくことが望ましい。
【考案の効果】
【００１６】
本考案の籾殻燃焼装置は、その燃焼室カバーが装置架台に対して着脱可能となっているので、燃焼室の保守点検作業、部品交換作業を簡単に行うことができる。また、燃焼室カバーの代わりに温水暖房用燃焼室カバーを取り付けることにより、籾殻燃焼装置をビニールハウスの温水暖房装置としてそのまま用いることができる。さらに、燃焼筒が回転駆動機構の支持ローラに乗っている構成を採用した場合には、燃焼室カバーを取り外せば、燃焼筒を簡単に取り出すことができ、籾殻炭、籾殻灰の生成に適した燃焼筒に交換することにより、籾殻燃焼装置を籾殻炭生成装置あるいは籾殻灰生成装置として用いることができるので便利である。
【図面の簡単な説明】
【００１７】
【図１】（ａ）および（ｂ）は、本考案を適用した籾殻燃焼装置の内部構造を示す平面図および側面図である。
【図２】（ａ）は図１の籾殻燃焼装置の内部構造を示す正面図であり、排出口に取り付けた開閉蓋を外した状態で示してあり、（ｂ）は排出口に取り付けた開閉蓋の正面図であり、（ｃ）は籾殻燃焼装置の内部構造を示す背面図である。
【図３】（ａ）〜（ｃ）は、温水暖房用燃焼室カバーを示す縦断面図、正面図および背面図である。
【考案を実施するための形態】
【００１８】
以下に、図面を参照して、本考案を適用した籾殻燃焼装置の実施の形態を説明する。
【００１９】
図１および図２を参照して説明すると、本実施の形態に係る籾殻燃焼装置１は、上方から処理対象の籾殻が投入されるホッパ２を備えている。このホッパ２の下端開口３の真下には、スクリューコンベア４が装置前後方向に沿って水平に配置されている。スクリューコンベア４はその後端部分においてホッパ２の下端開口３から落下する籾殻を受け取り、その前方に向けて籾殻を水平方向に送り出す。スクリューコンベア４の前端部５は籾殻燃焼室６の籾殻投入口７からその内部まで延びている。
【００２０】
籾殻燃焼室６は、装置架台８に取り付けられている燃焼室ケース９を備えている。燃焼室ケース９の下半部分は、装置架台８に固定した底板部分９ａと左右の垂直側板部分９ｂとを備えている。燃焼室ケース９の上半部分は、左右の垂直側板部分９ｂ、９ｃに対して複数本のボルト、たとえば蝶ボルト１０によって着脱可能に取り付けられている燃焼室カバー１１となっている。この燃焼室カバー１１は、左右の垂直側板部分１１ａ、１１ｂと、これらの垂直側板部分１１ａの上端の間を繋ぐ略半円形断面の筒状部分１１ｃを備えている。また、筒状部分１１ｃの上端部分には排気ダクト１１ｄが取り付けられている。
【００２１】
燃焼室ケース９は全体として装置前方が下側となる前傾姿勢の状態で装置前後方向に配置されている。この燃焼室ケース９の内部には、同じく前傾姿勢で円筒状の燃焼筒１２が配置されている。燃焼筒１２は例えばステンレススチール製の筒であり、この燃焼筒１２の外周面における前端側部分および後端側部分にはそれぞれ同心状態に前側円環状枠板１３および後側円環状枠板１４が固定されている。
【００２２】
燃焼筒１２は、装置架台８に搭載されている回転駆動機構によって、当該燃焼筒１２の中心軸線回りに回転駆動されるようになっている。回転駆動機構は、左右一対の前側支持ローラ１５および左右一対の後側支持ローラ１６を備えており、燃焼筒１２の前側円環状枠板１３は前側支持ローラ１５によって支持されており、後側円環状枠板１４は後側支持ローラ１６によって前後方向には移動しないように支持されている。これらのローラを回転することにより、燃焼筒１２をその中心軸線回りに回転させることができる。
【００２３】
前側支持ローラ１５および後側支持ローラ１６における同一側の各ローラは、共通のローラ軸１７に同軸状態で固定されている。ローラ軸１７は前傾姿勢となるように装置前後方向に延びており、その後端は、籾殻燃焼室６から後方側の位置においてユニバーサルジョイントを介して、装置後方に水平に延びている水平連結軸１８に連結されている。水平連結軸１８は、チェーン・スプロケット式の動力伝達機構を介して、駆動用モータ１９に連結されている。
【００２４】
籾殻燃焼室６の前端には燃焼後の籾殻炭あるいは籾殻灰を排出するための排出口２０が形成されている。この排出口２０は、籾殻燃焼室６の前端に取り付けた開閉蓋２０ａと、装置架台８の前端に固定した排出筒２０ｂとによって規定されている。開閉蓋２０ａは上端を中心として上方に跳ね上げることができ、これによって排出口２０が広がり、内部から燃焼残渣などを取り出す作業を簡単に行うことができる。また、籾殻燃焼室６の底板部分９ａには装置前後方向に水平に延びる排出用のスクリューコンベア２１が配置されており、燃焼筒１２から落下した籾殻炭、籾殻灰が排出口２０に向けて排出されるようになっている。
【００２５】
このスクリューコンベア２１および先に述べたスクリューコンベア４も、それぞれ、チェーン・スプロケット式の動力伝達機構を介して、駆動用モータ１９によって回転駆動されるようになっている。
【００２６】
なお、燃焼筒１２の後端開口には後側からエアー供給ダクト２２が延びており、このエアー供給ダクト２２の後側にはブロワー２３が配置されている。
【００２７】
この構成の籾殻燃焼装置１においては、ホッパ２に投入した籾殻をスクリューコンベア４によって籾殻燃焼室６に送り出して、その籾殻投入口７（燃焼筒１２の後端開口）から内部に投入する。燃焼筒１２内に入れた種火によって、投入された籾殻が燃える。また、燃焼筒１２は、回転駆動機構３０によって、その中心軸線回りに回転駆動される。籾殻は回転する燃焼筒１２によって攪拌されながら燃焼し、徐々に、その排出口２０に向けて送り出される。また、燃焼筒１２から落下した籾殻、籾殻炭、籾殻灰などもスクリューコンベア２１によって排出口２０に向けて排出される。
【００２８】
燃焼後の籾殻炭、籾殻灰などは排出口２０から排出されて下方に落下する。排出口２０の真下には、不図示の回収袋などが配置されており、ここに籾殻炭、籾殻灰などが落下して回収される。
【００２９】
籾殻燃焼室６の保守点検、あるいは、長期使用によって燃焼筒１２の交換が必要になった場合には、蝶ボルト１０を緩めることにより、簡単に燃焼室カバー１１を装置架台８の側から取り外すことができる。燃焼筒１２は前側支持ローラ１５および後側支持ローラ１６に乗っているだけであるので、持ち上げることによって簡単に取り外すことができる。よって、保守点検作業、清掃作業あるいは燃焼筒１２の交換作業を簡単に行うことができる。
【００３０】
（温水暖房用の燃焼室カバー）
この構成の籾殻燃焼装置１は温水暖房装置として用いることができる。たとえば、ビニールハウスなどを温水暖房する場合に用いることができる。この場合には、燃焼室カバー１１を温水暖房用の燃焼室カバーと交換するだけでよい。
【００３１】
図３には温水暖房用の燃焼室カバーを示してある。温水暖房用の燃焼室カバー４０は、燃焼筒１２の両側部分および上側部分を覆うカバー本体部分４１と、このカバー本体部分４１から上方に延びている排気ダクト部分４２とを備えている。カバー本体部分４１および排気ダクト部分４２は、内部に熱交換用の温水通路４３、４４が形成されている二重構造の壁面から形成されている。
【００３２】
カバー本体部分４１は、装置架台８に取り付けられている左右の垂直側板部分９ｂ、９ｃの上端縁部分に対して蝶ボルト１０によって取付可能なねじ差し込み溝４５を備えた左右の側壁部分４６、４７と、これらの上端部分を結ぶ円弧状部分４８と、後端開口を封鎖している端板部分４９と、前端開口縁に取り付けたフード部分５０とを備えている。
【００３３】
カバー本体部分４１の温水通路４３は、当該カバー本体部分４１の二重構造の壁面内において当該壁面に沿って形成した一定幅で連続している通路である。同様に排気ダクト部分４２の二重構造の壁面内の温水通路４４も当該壁面内において当該壁面に沿って形成した一定幅のスパイラル状の通路である。これらの温水通路４３、４４は相互に連通しており、一方の温水通路４３の端は、カバー本体部分４１の左右の側壁部分４６、４７の前端部の下端に形成した外部接続口４３ａ、４３ｂ（温水送り出し口、温水戻し口）から外部配管に接続可能となっている。他方の温水通路４４の端も、排気ダクト部分４２の上端部の両側に形成した外部接続口４４ａ、４４ｂ（温水送り出し口、温水戻し口）から外部配管に接続可能となっている。
【００３４】
ビニールハウスなどに暖房対象場所に配置した温水配管の一方の口を、外部接続口４３ａ、４３ｂの一方に接続し、他方の口を外部接続口４４ａ、４４ｂの一方に接続し、温水循環路を形成する。籾殻燃焼装置１によって籾殻を燃焼することにより発生する排熱を利用して温水を加熱して暖房対象場所を温めることができる。
【００３５】
（籾殻炭化装置、籾殻灰化装置）
ここで、燃焼筒１２として、同心状に配置した多層の円筒構造のものを用いることができる。たとえば燃焼筒１２を、一定の隙間を空けて同心状に配置されている円筒状の外側燃焼筒と、この内側に同心状に固定した円筒状の内側燃焼筒とを備えた二重構造とすることができる。この場合、外側燃焼筒の外周両端部分に前側円環状枠板１３および後側円環状枠板１４を取り付ければよい。また、外側燃焼筒はステンレススチール製の盲板によって形成し、内側燃焼筒は、ステンレススチールなどの耐熱性の金属素材からなる金網によって形成することができる。また、その内周面に、金網を形成している金属線材を円周方向および中心軸線方向に沿って一定の間隔で内方に突出させることにより、籾殻攪拌用の突起を形成しておくことが望ましい。
【００３６】
図に示してある燃焼筒１２の代わりに、この二重構造の燃焼筒を取り付けることにより、籾殻燃焼装置１を籾殻炭化装置として用いることができる。燃焼室に投入された籾殻は内側燃焼筒内において、回転する当該内側燃焼筒によって攪拌されながら燃焼し、徐々に、その排出口に向けて送り出される。また、内側燃焼筒から外側燃焼筒に落下した籾殻あるいは籾殻炭も外側燃焼筒の内周面に沿って排出口の側に送り出される。均一に燃焼して均一に炭化した状態の籾殻炭が排出口から得られる。
【００３７】
一方、三重構造の円筒によって燃焼筒を形成してもよい。多層構造にすることによって、籾殻の燃焼状態を調整することができ、籾殻炭の生成に適した燃焼状態、籾殻灰の生成に適した燃焼状態などを形成することができる。
【００３８】
（サイクロン付き籾殻燃焼装置）
次に、籾殻燃焼装置１の排気ダクト１１ｄにサイクロンを接続してもよい。このようにすれば、排出される排気に含まれている異物を遠心分離し、異物が分離された後の排気を大気中に排出できるので、環境保護の観点から望ましい。
【符号の説明】
【００３９】
１    籾殻燃焼装置
２    ホッパ
３    下端開口
４    スクリューコンベア
５    前端部
６    籾殻燃焼室
７    籾殻投入口
８    装置架台
９    燃焼室ケース
９ａ  底板部分
９ｂ、９ｃ  垂直側板部分
１０  蝶ボルト
１１  燃焼室カバー
１１ａ、１１ｂ  垂直側板部分
１１ｃ  筒状部分
１１ｄ  排気ダクト
１２  燃焼筒
１３  前側円環状枠板
１４  後側円環状枠板
１５  前側支持ローラ
１６  後側支持ローラ
１７  ローラ軸
１８  水平連結軸
１９  駆動用モータ
２０  排出口
２０ａ  開閉蓋
２０ｂ  排出筒
２１  スクリューコンベア
２２  エアー供給ダクト
２３  ブロワー
４０  温水暖房用の燃焼室カバー
４１  カバー本体部分
４２  排気ダクト部分
４３、４４  温水通路
４３ａ、４３ｂ、４４ａ、４４ｂ  外部接続口
４５  ねじ差し込み溝
４６、４７  側壁部分
４８  円弧状部分
４９  端板部分
５０  フード部分
【図１】
0003152728.tif 000003
【図２】
0003152728.tif 000004
【図３】
0003152728.tif 000005
【手続補正書】
【提出日】平成21年6月8日(2009.6.8)
【手続補正１】
【補正対象書類名】実用新案登録請求の範囲
【補正対象項目名】請求項２
【補正方法】変更
【補正の内容】
【請求項２】
前記燃焼室カバー（１１）の代わりに前記装置架台（８）に対して着脱可能な状態で取り付けることのできる温水暖房用燃焼室カバー（４０）を有しており、
前記温水暖房用燃焼室カバー（４０）は、前記燃焼筒（１２）の両側部分および上側部分を覆うカバー本体部分（４１）と、このカバー本体部分（４１）から上方に延びている排気ダクト部分（４２）とを備えており、
前記カバー本体部分（４１）および前記排気ダクト部分（４２）は、内部に熱交換用の温水通路（４３、４４）が形成されている二重構造の壁面から形成されており、
当該温水暖房用燃焼室カバー（４０）には、前記温水通路（４３、４４）に熱交換後の温水を戻す温水戻し口と、前記温水通路（４３、４４）を流れて加熱された後の温水を外部に送り出す温水送り出し口とが配置されていることを特徴とする請求項１に記載の籾殻燃焼装置（１）。